(57)【要約】【課題】  消しゴムを使った時に発生する消しカス、食パンを食べる時に食卓に落ちるパン粉など、小さいゴミを効率よく掃除する、超ミニサイズ卓上クリーナを提供する。【解決手段】  乾電池で回転する小型モータの出力軸に直接に、回転ブラシを取り付け、ゴミ回収部本体に、回転ブラシをガードするブラシカバー、ブラシカバーの下部に開口部、ゴミ通過口、ゴミ回収ボックス、ゴミ取出口を設け、回転ブラシの回転により、開口部からゴミを掃き、ゴミを掬い取るシュータを設け、ゴミ通過口を通ったゴミを、ゴミ回収ボックスに収納し、ゴミ回収部本体、及びシュータを透明性のあるプラスチック材で形成することを特徴とする超ミニサイズ卓上クリーナ。【選択図】図１
2010207547.tif 000002
【特許請求の範囲】
【請求項１】
乾電池で回転する小型モータの出力軸に直接に、回転ブラシを取り付け、ゴミ回収部本体に、回転ブラシをガードするブラシカバー、ブラシカバーの下部に開口部、ゴミ通過口、ゴミ回収ボックス、ゴミ取出口を設け、回転ブラシの回転により、開口部からゴミを掃き、ゴミを掬い取るシュータを設け、ゴミ通過口を通ったゴミを、ゴミ回収ボックスに収納し、ゴミ回収部本体、及びシュータを透明性のあるプラスチック材で形成することを特徴とする超ミニサイズ卓上クリーナ。
【発明の詳細な説明】
【技術分野】
【０００１】  本発明は、消しゴムの消しクズ、食パンを食事時に食卓に落ちるパンの粉など、小さいゴミを効率よく掃除する、超ミニサイズ卓上クリーナに関するものである。
【背景技術】
【０００２】  従来、消しゴムの消しクズ、パン粉などの小さいゴミは、手指、布巾などで取り除き、又は、吸引式の掃除機などで除去していた。
【発明の開示】
【発明が解決しようとする課題】
【０００３】  そのために、次のような問題点があった。
（イ）  手指で取り除く場合、取り除くために時間がかかり、キレイに取れないことも          あった、また、取ったゴミを処分する手間がかかっていた。
（ロ）  吸引式の卓上掃除機は、吸引力が弱い、大きさも数十ｃｍになり、収納に不便          、細い狭い、隅スペースなどはゴミが取りにくい。
（ハ）  通常の掃除機は伝導ベルトや、充電装置など組み込んである為、どうしても大          型になり、卓上の掃除には不向きである。
本発明は、以上の問題点を解決するためになされたものである。
【課題を解決するための手段】
【０００４】  乾電池で回転する小型モータの出力軸に直接に、回転ブラシを取り付け、ゴミ回収部本体に、回転ブラシをガードするブラシカバー、ブラシカバーの下部に開口部、ゴミ通過口、ゴミ回収ボックス、ゴミ取出口を設け、回転ブラシの回転により、開口部からゴミを掃き、ゴミを掬い取るシュータを設け、ゴミ通過口を通ったゴミを、ゴミ回収ボックスに収納し、ゴミ回収部本体、及びシュータを透明性のあるプラスチック材で形成する。以上を特徴とする超ミニサイズ卓上クリーナである。
【発明の効果】
【０００５】  （イ）回転ブラシにより、消しゴムカス、パン粉などの小さいゴミを、すばやく簡単に        掃除できる。
（ロ）モータの出力軸に直接、回転ブラシを装着したため、部品点数が少なく、機械的        ロスも少ない。
（ハ）モータの電源は乾電池であり、充電機が不要である。
（ニ）概略寸法は、長さ８ｃｍ、幅５ｃｍ、高さ２ｃｍ程度の超ミニサイズであり、卓        上に置いても場所を取らず、机の引き出しにも入る。
（ホ）スイッチは指先で軽く触れた時だけオンになり、スイッチから指を離せばオフに        なるため、必要な操作が簡単で、スピーディに実行できる。
（ヘ）掃除したゴミは、回収ボックスに設けた取出口から、簡単に取り出して捨てるこ        とができ、集塵フィルターや、集塵フィルター袋などは不要である。
（ト）ゴミ回収部本体は透明性のものを使用しているため、ゴミの回収状態、ゴミのた        まり状態が一目瞭然で確認できる。
【発明を実施するための最良の形態】
【０００６】  以下、本発明の実施の形態について説明する。
（イ）本体（１）に、電池収納部（４）、スイッチ（５）を設ける。
（ロ）スイッチ（５）は、指先でソフトタッチしている時だけオンになり、スイッチ（        ５）から指を離せばオフになるようにする。
（ハ）モータ（２）の回転方向は、回転ブラシ（７）側から見て、反時計方向にする。
（ニ）回転ブラシ（７）は、ブラシ軸（６）の外周に８列程度の毛を放射状に取り付け        、毛の材質、太さ、しなやかさはペンキ塗りの刷毛程度のものにする。
（ホ）モータ（２）の出力軸（３）に、回転ブラシ（７）を装着する。
（ヘ）ゴミ回収部本体（８）は、ブラシカバー（９）、ゴミ通過口（１０）、ゴミ回収        ボックス（１１）、ゴミ取出口（１２）を備え、ブラシカバー（９）の下方には        、ゴミを取り入れるための開口部（１３）を設ける。
（ト）ゴミ回収ボックス（１１）の入り口には、回転ブラシ（７）で掃くゴミを通過さ        せるためのシュータ（１４）を設ける。
（チ）本体（１）に回転ブラシ（７）を装着したモータ（２）、ゴミ回収部本体（８）        を取り付ける。
（リ）本体（１）を卓上面（１５）に置いた時、回転ブラシ（７）の毛先は、回転ブラ        シ（７）が回転した時に、卓上面（１５）を軽く摺る位置にする。
（ヌ）本体（１）を卓上面（１５）に置いた時、シュータ（１４）の開口部（１３）寄        りの先端部は、卓上面（１５）に軽く接する位置にし、約３０度の傾斜を付けて        、ゴミ回収ボックス（１１）の内部へ入り、ゴミ通過口（１０）を形成する。
（ル）本体（１）を卓上面（１５）に置いた時、ブラシカバー（９）の先端部と卓上面        （１５）の隙間は、２ｍｍ程度にする。
（ヲ）超ミニサイズ卓上クリーナのサイズは、長さ８ｃｍ、幅５ｃｍ、高さ２ｃｍ程度        にする。このため乾電池は単４形サイズのレベルがよい。
本発明は、以上のような構成よりなっている。
これを使用するときは、指先のソフトタッチでスイッチ（５）をオンにし、回転ブラシ（７）を回転させ、卓上面（１５）のゴミの位置に、開口部（１３）を移動することにより、回転ブラシ（７）の幅に接するゴミを掃くことができる。ゴミは、シュータ（１４）とゴミ通過口（１０）を通り、ゴミ回収ボックス（１１）の中へ落ちる。
ゴミ回収部本体（８）は、透明にすることにより、ゴミの回収状態を視認でき、回収したゴミは鉛筆の先端などで軽く、ゴミ取出口（１２）を開けて簡単に取り出し捨てることができる。
【図面の簡単な説明】
【０００７】
【図１】本発明の斜視図
【図２】本発明の分解斜視図
【図３】本発明の本体部断面図
【図４】本発明のゴミ回収部本体部断面図
【符号の説明】
【０００８】      １  本体
２  モータ
３  出力軸
４  電池収納部
５  スイッチ
６  ブラシ軸
７  回転ブラシ
８  ゴミ回収部本体
９  ブラシカバー
１０  ゴミ通過口
１１  ゴミ回収ボックス
１２  ゴミ取出口
１３  開口部
１４  シュータ
１５  卓上面
【図１】
2010207547.tif 000003
【図２】
2010207547.tif 000004
【図３】
2010207547.tif 000005
【図４】
2010207547.tif 000006